Podtech/llm-jp-corpus-v4-ja_patent huggingface dataset:
(57)【要約】      （修正有）【課題】従来の丸管蛍光灯と同一形状でほぼ同一の光度を有するだけでなく、従来の蛍光灯より消費電力が極めて少なく、従来の丸型蛍光灯を使用していた照明器具にそのまま代替使用でき、グローランプのような補助器具を必要とせず、取扱の極めて簡単な丸型ＬＥＤ照明器具を提供する。【解決手段】従来の丸型蛍光灯と同じ大きさで少なくとも発光部分が透明である丸管の中に、半径方向に並び並列に接続した３個のＬＥＤ電球群の多数を円周方向に直列に接続するように配置した発光板を挿入したことを特徴とする丸型ＬＥＤ照明器具を実現し、従来の丸型蛍光灯に代えて使用し、長期にわたり電気量を大幅に節減することができる。【選択図】図１
0003174197.tif 000002
【実用新案登録請求の範囲】
【請求項１】
従来の丸型蛍光灯と同じ大きさで少なくとも発光部分が透明である丸管の中に、半径方向に並び並列に接続した３個のＬＥＤ電球群の多数を円周方向に直列に接続するように配置した発光板を挿入したことを特徴とする丸型ＬＥＤ照明器具。
【考案の詳細な説明】
【技術分野】
【０００１】
本考案は、従来の丸管蛍光灯より消費電力が非常に少く長寿命であるＬＥＤ電球の特色を活かし、従来の丸型蛍光灯と同等の明るさ有し、容易に従来の丸型蛍光灯に代替しうる丸型ＬＥＤ照明器具に関するものである。
【背景技術】
【０００２】
現在、丸型蛍光灯は事務所や商店や家庭で多用されている。一方、ＬＥＤは消費電力が少なく長寿命であるが、照明としては光度が光度が低く表示板や信号機に使われているに過ぎない。このＬＥＤを円管蛍光灯に代替して丸型照明器具として利用することは極めて有用である。
【特許文献１】実用新案登録第３１６８５８２号
【考案の開示】
【考案が解決しようとする課題】
【０００３】
本考案が解決しようとする課題は、従来の丸管蛍光灯と同一形状でほぼ同一の光度を有するだけでなく、従来の蛍光灯より消費電力が極めて少なく、従来の丸型蛍光灯を使用していた照明器具にそのまま代替使用でき、グローランプのような補助器具を必要とせず、取扱の極めて簡単な丸型ＬＥＤ照明器具を提供することにある。
【課題を解決するための手段】
【０００４】
本考案者は、前述の課題を解決するため、従来の丸型蛍光灯と同じ大きさで少なくとも発光部分が透明である丸管の中に、半径方向に並び並列に接続した３個のＬＥＤ電球群の多数を円周方向に直列に接続するように配置した発光板を挿入したことを特徴とする丸型ＬＥＤ照明器具を提供する。
【考案の効果】
【０００５】
本考案に係わる丸型ＬＥＤ照明器具は、前述のような構成であるので、従来丸型蛍光灯を使用していた照明器具に、それまで使用していた蛍光灯に代えて使用することにより、電力使用量を大きく節減することができる。
【考案を実施するための最良の形態】
【０００６】
本考案を実施するための最良の形態を実施例１に示す。
【実施例１】
【０００７】
本実施例では、丸管は、発光部丸管と配電部丸管に分かれ、それぞれの丸管は表側と裏側に分かれ、発光部丸管の表側だけを透明にしてある。また、発光板は３個の円弧に三等分されており、一つの円弧状の発光板には１列３個のＬＥＤが２５行並び計７５個の搭載されている。従って、三つの円弧状発光板に使用されたＬＥＤは総計２２５個に達する。本実施例の詳細を図１ないし図５に示す。なお、図２では個々の電気部品を省略し、図３では左側の円弧状発光板の裏面だけを示し他の円弧状発光板の裏面は省略してある。
【０００８】
図１は正面図であり、図２は断面図であり、図３は発光板の裏面図であり、図４は配電部の外壁の外側と内側の説明図であり、図５は配電板の表面と裏面の説明図である。これらの図で、１は丸管ＬＥＤ照明器具、２は発光部丸管、３は配電部丸管、４は発光板、５はＬＥＤ電球、６は透明樹脂カバー、７は不透明底部、８はプリント配線、９はＬＥＤ電球のピン、１０はピンの溶接部、１１は配電部上蓋、１２は配電部底部、１３は配電板、１４は配電板支持管、１５は位置決め指示管、１６は入電ピン、１７は発光板の裏面、１８は発光板左１／３の裏面、１９は発光板中央１／３の裏面、２０は発光板右１／３の裏面、２１は発光板１／３の接続部、２２は配電部上蓋表面、２３は配電部上蓋裏面、２４は配電部底部内部、２５は配電部底部外側、２６は勘合突起、２７は勘合凹部、２８は空気孔、２９は配電板表側、３０は配電板裏側、３１は配電板指示管嵌合孔、３２はコンデンサー、３３はトランジスター、３４はコイル、３５はダイオード、３６は抵抗、３７はプリント配線、３８はＬＥＤドライバー、３９は交流入力端、４０は交流入力端、４１は直流出力端（Ｐ）、４２  直流主力端（Ｎ）である。
【産業上の利用可能性】
【０００９】
本考案に係わる丸型ＬＥＤ照明器具は、前述のような構造と効果を有するので、従来の丸型蛍光灯を使用していた照明器具をそのまま利用して、それまで使用していた丸型蛍光灯に代えて使用することができるので、使用電気量の大幅節減になり、新たなＬＥＤ照明器具産業の発展にも寄与する。
【図面の簡単な説明】
【００１０】
【図１】実施例１の正面説図である。
【図２】実施例１の断面面図である。
【図３】実施例１の発光板と裏面図である。
【図４】実施例１の配電部容器の表面と裏面の説明図である。
【図５】実施例１の配電板の表面と裏面の説明図である。
【符号の説明】
【００１１】
１  丸管ＬＥＤ照明器具
２  発光部丸管
３  配電部丸管
４  発光板
５  ＬＥＤ電球
６  透明樹脂カバー
７  不透明底部
８  プリント配線
９  ＬＥＤ電球のピン
１０  ピンの溶接部
１１  配電部上蓋
１２  配電部底部
１３  配電板
１４  配電板支持管
１５  位置決め指示管
１６  入電ピン
１７  発光板の裏面
１８  発光板左１／３の裏面
１９  発光板中央１／３の裏面
２０  発光板右１／３の裏面
２１  発光板１／３の接続部
２２  配電部上蓋表面
２３  配電部上蓋裏面
２４  配電部底部内部
２５  配電部底部外側
２６  勘合突起
２７  勘合凹部
２８  空気孔
２９  配電板表側
３０  配電板裏側
３１  配電板指示管嵌合孔
３２  コンデンサー
３３  トランジスター
３４  コイル
３５  ダイオード
３６  抵抗
３７  プリント配線
３８  ＬＥＤドライバー
３９  交流入力端
４０  交流入力端
４１  直流出力端（Ｐ）
４２  直流主力端（Ｎ）
【図１】
0003174197.tif 000003
【図２】
0003174197.tif 000004
【図３】
0003174197.tif 000005
【図４】
0003174197.tif 000006
【図５】
0003174197.tif 000007
(57)【要約】      （修正有）【課題】台座の上に下枠体を設けることで、向きが変えられかつ傾倒し難いゴルフバッグの定位構造を提供する。【解決手段】上枠体２０、下枠体３０、台座４０、上下枠体２０、３０を覆うバッグ本体、上枠体２０の外側に設置する支え棒２３がバッグ本体を支え、更に補助棒２４を設置し、外側の支え棒２３を補助する。台座４０、下枠体３０に軸穴を設置し、軸心棒を軸穴に通すことで、下枠体３０と台座４０を一体に組み合わせ、それにより下枠体３０は角度を回転することができる。台座４０に別途前軸穴４２を設置して補助棒２４と組み合わせる。下枠体３０に前斜面３２を設置する。【選択図】図５
0003174195.tif 000002
【実用新案登録請求の範囲】
【請求項１】
上枠体、下枠体及び台座を含み、
該上枠体、下枠体、上下枠体を覆うバッグ本体、上枠体の外側に支え棒を有し、バッグ本体を支え、外側の骨組みを支える補助棒を有し、
台座、下枠体に軸穴を設け、軸心棒を二つの軸穴に通すことで、下枠体と台座を一つに組合せると同時に、下枠体は角度を変えることができ、
台座は別途前軸穴を有し、補助棒と組合せ、
下枠体は前斜面を有し、バッグが角度を変えて傾斜する際、下枠体も傾斜し、下枠体の前斜面が台座に抵触し、安定して傾倒しにくいことを特徴とするゴルフバッグの定位構造。
【考案の詳細な説明】
【技術分野】
【０００１】
本考案はゴルフバッグの定位構造に関し、特にゴルフバッグを傾斜して置く際にも、該底部全体が地面に抵触するため、傾倒しないゴルフバッグの定位構造に関する。
【背景技術】
【０００２】
図１、図２及び図３に示すように、従来技術の外側に支え棒を具有するゴルフバッグは上枠体１０と台座１１を具有し、上枠体と台座の間に数本の内側の骨組み１２を設置し、更に布や革で覆ってバッグ本体１５に形成する。該上枠体１０の外側に支え棒１３を設けることで、バッグ本体１５を傾斜した角度にすることができ、クラブを取りやすくする。また、弾性のある補助棒１４を設置し、外側の支え棒１３の補助をする。前記の構造は、下記の欠点を持つ：図１、図３に示すように、内側の骨組み１２の両端は上枠体１０と台座１１と接続するため、傾斜角度を呈す際、必然的に台座１１は上向きに角度θが上がる。つまり、台座１１は全体ではなく、一端のみが地面に抵触し、重心が不安定となり、左右に倒れやすいため、更なる改善が必要であった。
【考案の概要】
【考案が解決しようとする課題】
【０００３】
前記従来技術の欠点を解決するため、本考案はバッグを傾斜する際でも、下枠体の前斜面が台座に抵触し、傾倒しにくいゴルフバッグの定位構造を提供することを主な課題とする。
【課題を解決するための手段】
【０００４】
前記課題を解決するために、本考案はゴルフバッグの定位構造を提供するものである。ゴルフバッグの台座に角度を変えられる下枠体を設け、内側の骨組みを下枠体に組合せ、内枠体２６に前斜面を設ける。バッグを傾斜する際、下枠体も同時に傾斜し、下枠体の前斜面は台座に抵触し、広い面積で置くことができるため、バッグが傾倒しにくい。
【考案の効果】
【０００５】
本考案は台座の上に角度を変えられる下枠体を設置し、該下枠体に前斜面を設置することで、バッグを傾斜しても、台座が安定して地面に抵触し、下枠体の前斜面が台座に抵触するため、バッグの重心が安定し、傾倒しにくい。
【図面の簡単な説明】
【０００６】
【図１】従来技術における立体図である。
【図２】従来技術におけるバッグの立体外観図である。
【図３】従来技術における傾斜角度を呈す状態図である。
【図４】本考案における構造立体分解図である。
【図５】本考案におけるその他の骨組みの立体図である。
【図６】本考案におけるバッグの立体外観図である。
【図７】本考案におけるバッグの立体外観図である。
【考案を実施するための形態】
【実施例】
【０００７】
図４〜図７に示すように、本考案は上枠体２０、下枠体３０、台座４０、上下枠体２０、３０を覆うバッグ本体２５、上枠体２０の外側に設置する支え棒２３がバッグ本体２５を支え、更に補助棒２４を設置し、外側の支え棒２３を補助する。台座４０、下枠体３０に軸穴４１、３１を設置し、軸心棒４３を軸穴３１、４１に通すことで、下枠体３０と台座４０を一体に組み合わせ、それにより下枠体３０は角度を回転することができる。台座４０に別途前軸穴４２を設置して補助棒２４と組み合わせる。下枠体３０に前斜面３２を設置する。
【０００８】
前記構造により、下記の効果を持つ。図５、図６に示すように、バッグ２５を地面に対して垂直に置いた場合、下枠体３０の後半部は台座４０に抵触することで、内側の骨組み２２は垂直状を保つ。該バッグ本体２５が傾斜する際、図６、図７に示すように、下枠体３０は角度を変えることができ、及び具有する前斜面３２が下降することによって、下枠体３０が傾斜するが、下枠体３０の前斜面３２は底面の全体が台座４０に抵触する状態を呈す。つまり、下枠体３０は従来技術のように片端が上がることがなく、全体で抵触するため重心が安定し、バッグが倒れない。
【符号の説明】
【０００９】
１０、２０  上枠体
１１、４０  台座
１２、２２  内側の骨組み
１３、２３  外側の支え棒
１４、２４  補助棒
１５、２５  バッグ
３０        下枠体
３１、４１  軸穴
４２        前軸穴
４３        軸心棒
【図１】
0003174195.tif 000003
【図２】
0003174195.tif 000004
【図３】
0003174195.tif 000005
【図４】
0003174195.tif 000006
【図５】
0003174195.tif 000007
【図６】
0003174195.tif 000008
【図７】
0003174195.tif 000009
(57)【要約】      （修正有）【課題】どんな地型でも草削が出来き、大きい草も一撃で取ることが可能で、しかも、取った草やゴミをかきよせ、土ならし以上万能型であるレーキ付除草具を提供する。【解決手段】断面がくの字型で屈曲角度が３０度〜４０度の舟型でその一方の半身部には、刃先が形成され、その他方の半身部にはレーキ３が設けられるとともに、舟型の折り曲げの中心にその基端が固定された柄１，１Ａを有し、前記舟型の折り曲げ線方向の一端を尖らせるとともに、その他端をＶ字型６に溝を形成して上記に記載のレーキ付除草具とする。【選択図】図１
0003174200.tif 000002
【実用新案登録請求の範囲】
【請求項１】
断面がくの字型で屈曲角度θが３０度〜４０度の舟型で、その一方の半身部には刃先が形成され、その他方の半身部には、レーキが設けられるとともに舟型の折り曲げの中心にその基端が固定された柄を有することを特徴とするレーキ付き除草具。
【請求項２】
前記舟型の折り曲げ線方向の一端を尖らせるとともに、その他端をＶ字形に溝を形成したことを特徴とする請求項１に記載のレーキ付除草具。
【請求項３】
レーキは刃を複数個つけ、厚さ３ｍｍ鉄板をコの字型に打抜き、舟型の上部に溶接をし、草やゴミのかき集めを可能とし、４面使えることを特徴とする請求項１又は請求項２に記載のレーキ付除草具。
【考案の詳細な説明】
【技術分野】
【０００１】
本考案は、草削り、草の根堀り、穴掘りと、削り取った草のかきよせ（レーキ）が兼用できる除草具に関するものである。
【背景技術】
【０００２】
草取りと草削りレーキはいろいろあるが、１つの道具ではいろんな作業が出来ない事が多く、１つの道具で何通りも兼ねることができる除草具は、これまでにはなかった。
【先行技術文献】
【特許文献】
【０００３】
【特許文献１】特開平９−２７５７３５号
【考案の概要】
【考案が解決しようとする課題】
【０００４】
本考案が解決しようとする課題は、１つの道具で何通りもの作業をすることができる除草具を提供することである。
詳しくは、どんな地型でも草削が出来き、大きい草も１撃で取ることが可能で、しかも、取った草やゴミをかきよせ、土ならし以上万能型であることをレーキ付除草具を提供することである。
【課題を解決するための手段】
【０００５】
本考案は、上記課題を解決するために、断面がくの字型で屈曲角度θが３０度〜４０度の舟型でその一方の半身部には、刃先が形成され、その他方の半身部にはレーキが設けられるとともに、舟型の折り曲げの中心にその基端が固定された柄を有することを特徴とするレーキ付除草具である。
【０００６】
更には、前記舟型の折り曲げ線方向の一端を尖らせるとともに、その他端をＶ字型に溝を形成した上記に記載のレーキ付除草具である。
【考案の効果】
【０００７】
上述のように本考案は、角度３０度〜４０度に曲げて中間に平鉄の柄から木の柄にかえて草取り作業をするものである。３０度〜４０度の角度が草をとりやすく効果的である。レーキの方は、本位上部から３５度〜４５度が効果的であり、草削り大小の草の根を堀取ったり、草やゴミかきをかき集める事が可能である。
【図面の簡単な説明】
【０００８】
【図１】一実施例に係るレーキ付除草具を示す斜視図である。
【図２】レーキ付除草具の断面図である
【図３】刃先部の示す拡大図である。
【考案を実施するための形態】
【０００９】
本考案の実施例を図面を用いて説明する。
【実施例１】
【００１０】
図１において示すように下側が刃先付いた草削りで左端の尖った所が草削りをしたり掘ったり、右端が大きい草の根をＶ型を打ち込んで引き抜く、上側が得レーキ役、草とかゴミをかき集めるように構成したレーキ付除草具である。
１は、木の柄であって１のＡは鉄の柄付根を溶接する。２は、本体舟型である。３は、レーキの刃である。４は、草削り部分は直線で刃先をつける。５は、舟型の先端で小さい草を削ったり掘ったりする。６は、Ｖ型で大きい草の根掘りである。７は、刃先の尖ったことを示したものである。８は、舟型の中心、くの字に曲げた線である。９は、溶接部分図１は、柄のついた全体図、図２は、５の刃先から見た図、図３は、４の刃先の拡大図である。
【産業上の利用可能性】
【００１１】
本考案は、レーキ付除草具として有用である。
【符号の説明】
【００１２】
１  柄  １Ａ平鉄の柄
２  本体
３  レーキ
４  直線の刃先
５  本体の先
６  Ｖ型
７  刃先の拡大
８  舟型の中心折且
９  溶接部分
【図１】
0003174200.tif 000003
【図２】
0003174200.tif 000004
【図３】
0003174200.tif 000005
(57)【要約】【課題】春や秋の比較的寒い時期に使用するのに好適なズボン下を提供することを課題とする。【解決手段】ズボン下Xとして、腰から、両脚の膝上より膝下までのいずれかの範囲を覆う織物生地又は不織布により形成される腰大腿部１０と、前記腰大腿部下部１０に上端が重合するように、両脚の膝上より膝下までのいずれかの範囲から、足首近傍までを覆い、前記腰大腿部下部１０に上端が固定される伸縮性のある編物生地により形成される脛部２０、２０とより構成する。【選択図】  図１
0003174172.tif 000002
【実用新案登録請求の範囲】
【請求項１】
腰から、両脚の膝上より膝下までのいずれかの範囲を覆う織物生地又は不織布により形成される腰大腿部と、
前記腰大腿部下部に上端が重合するように、両脚の膝上より膝下までのいずれかの範囲から、足首近傍までを覆い、前記腰大腿部下部に上端が固定される伸縮性のある編物生地により形成される脛部と
を有するズボン下。
【請求項２】
前記腰大腿部はクレープ生地により形成されるものである請求項１に記載のズボン下。
【考案の詳細な説明】
【技術分野】
【０００１】
本考案はズボン下に関し、特に、春秋の使用に好適なズボン下に関する。
【背景技術】
【０００２】
ズボン下には、クレープ生地等でできた薄くほとんど伸縮性のない夏用のいわゆるステテコと呼ばれるものと、メリヤス生地でできた冬用のいわゆる股引やパッチと呼ばれるものがある。ステテコは主として汗を吸収するために用いられ、股引は主に防寒のために使用される。
【考案の概要】
【考案が解決しようとする課題】
【０００３】
ところで、春先から５月ごろや秋口から１１月ごろまでの間、股引は車内や室内で使用するには暑すぎる一方で、ステテコは外で使用する場合には防寒が不十分である。しかし、ズボン下は使用場所に応じて履き替えることは難しく、このような季節に使用するのに適したズボン下が存在しないのが現状であった。
本考案は、このような問題に鑑みて、春や秋の比較的寒い時期に使用するのに好適なズボン下を提供することを課題とする。
【課題を解決するための手段】
【０００４】
上記課題を解決するために、本考案は次のような構成を有する。
請求項１に記載の考案は、腰から、両脚の膝上より膝下までのいずれかの範囲を覆う織物生地又は不織布により形成される腰大腿部と、前記腰大腿部下部に上端が重合するように、両脚の膝上より膝下までのいずれかの範囲から、足首近傍までを覆い、前記腰大腿部下部に上端が固定される伸縮性のある編物生地により形成される脛部とを有するズボン下である。
請求項２に記載の考案は、前記ズボン下において、前記腰大腿部はクレープ生地により形成されるものである。
【考案の効果】
【０００５】
請求項１に記載の考案は、膝近傍から足首にかけて伸縮性のある編物生地で覆うことで、この範囲においては保温性のある編物生地が肌に密着する一方、腰から膝近傍までを織物又は不織布で覆うことで、これらの生地はほとんど伸縮性がなく薄いので、これら範囲においては肌に密着しにくくまた熱気がこもることがない。従って、請求項１に記載のズボン下は、ズボンの裾から内に入る冷気が脚の肌に触れることを防ぐことができるとともに、冷えやすい脚の末端側を暖めることができ、一方で、温度が高くなりやすい臀部や大腿部を暖めすぎることがないので、春や秋の比較的寒い時期において快適に使用することができる。
請求項２に記載の考案は、腰大腿部をクレープ生地とすることで、吸湿性がよいので、汗をかきやすい臀部や大腿部の汗を適度に吸収することで、より使用者の快適性を高めることができる。
【図面の簡単な説明】
【０００６】
【図１】実施形態に係るズボン下の正面図である。
【図２】実施形態に係るズボン下の分解正面図である。
【考案を実施するための形態】
【０００７】
以下、本考案の実施の形態について、図面を参照しながら説明する。
図１に本実施形態に係るズボン下Xの正面図を示し、図２にズボン下Ｘの分解正面図を示す。ズボン下Ｘは腰大腿部１０と、脛部２０、２０とから構成される。
腰大腿部１０はクレープ生地からなるものであって、腰から両脚の膝下までを覆う5分丈のパンツ形状を形成している。腰大腿部１０は想定される使用者の腰や脚に対してややゆとりを持った大きさに形成される。また、腰大腿部１０の下端開口縁には、腰大腿部１０及び脛部２０とは色の異なった細長い布からなるカラーテープ１１が開口縁部を表裏から挟むように折られて当該開口縁に縫い付けられている。
脛部２０、２０は伸縮性のメリヤス生地からなるものであり、それぞれ脚の膝上から足首の上までを覆う筒形状を形成している。脛部２０は想定される使用者の脚に密着するような大きさに形成される。また、下端側はより伸縮性が高くなるように形成されている。脛部２０、２０の上端は、腰大腿部１０の下端内側に重なり、縫い付けられることで腰大腿部１０に固定されている。
【０００８】
ズボン下Ｘは、以上のような構成を有するので、使用者が装着すると、腰から大腿にかけては薄くて熱がこもりにくくなり、また、通気性や吸湿性がよくなるとともに、膝から脛にかけては肌に密着して下部からの空気を内部に入れないように働くとともに、保温性が高くなる。従って、秋口から冬の初めや、春先から初夏の手前の、少し肌寒いけれども防寒をするまでもないような季節において、適度に足先からの寒さを防ぐことができるとともに、発汗の多い腰から大腿は通気性及び吸湿性を良くすることで涼しく、かつ、室内や外歩きなどでの発汗による不快感を抑制することが可能となる。また、腰大腿部１０下端にカラーテープ１１を縫い付けることで、見栄えよく、ファッション性が高くなるので、部屋着として使用することもできる。
なお、上記実施形態では、腰大腿部１０の長さを膝下までとし、脛部２０、２０を膝上までとすることで重なり部分を多く形成しているが、例えば、腰大腿部１０の長さを膝上までとしたり、脛部２０、２０の長さを膝したまでとすることで、腰大腿部１０の下端位置と脛部２０、２０の上端位置とをほぼ一致させることで重なり部分を小さくしたり、なくしたりしてもよい。
また、腰大腿部の素材は通気性のあるクレープ生地を用いているが、不織布や通気性を他の織物生地も用いることも可能である。
【符号の説明】
【０００９】
Ｘ  ズボン下
１０  腰大腿部
１１  カラーテープ
２０  脛部
【図１】
0003174172.tif 000003
【図２】
0003174172.tif 000004
(57)【要約】      （修正有）【課題】緩衝機能を備えたシェルパッケージを提供する。【解決手段】シェルパッケージは、固定シェル１１と複数の緩衝柱体１２を含み、該固定シェルは、保護する物品の外形と係合する形状を備え、各面上には何れも少なくとも一挿入孔を設ける。複数の前記緩衝柱体は柱状基体を備え、固定シェルの挿入孔に固定状態で挿設する。シェルパッケージは、固定シェルと緩衝柱体を別々に独立設計しているため、固定シェルの厚さを薄くすることができ、さらに、製造コストと運搬コストを削減できる。しかも、緩衝柱体は保護物品２の重量、材質の違いに応じて個別に交換でき、固定シェルを一緒に交換する必要がなく、柔軟性に富む。また、緩衝柱体を固定シェル上に嵌合支持状態で挿設すると裂罅現象が起きず、組み立ても便利で簡単である。【選択図】図３
0003174178.tif 000002
【実用新案登録請求の範囲】
【請求項１】
物品の保護に用いるシェルパッケージは、
各面上には何れも少なくとも一挿入孔を設ける固定シェルと、
柱状の基体を備え、固定シェルの挿入孔に固定状態で挿設する複数の緩衝柱体と、を含むことを特徴とするシェルパッケージ。
【請求項２】
請求項１記載のシェルパッケージにおいて、前記固定シェルの挿入孔と緩衝柱体を係合させ、緩衝柱体の底端を挿入孔内に挿着し、上端を挿入孔の外側に延伸させることを特徴とする、シェルパッケージ。
【請求項３】
請求項１記載のシェルパッケージにおいて、前記固定シェルは、中空挟層を備えた材料を採用して作製することを特徴とする、シェルパッケージ。
【考案の詳細な説明】
【技術分野】
【０００１】
本考案は、パッケージの設計構造に関し、特に緩衝機能を備えたシェルパッケージに係る。
【背景技術】
【０００２】
日常生活において、物品が運搬過程でぶつかったり揺れによる衝撃を受けて破損するのを防ぐため、通常、一層の保護性を備えたシェルパッケージを被せている。シェルパッケージは一般に弾性に富む材料により作製され、物品を包覆して物品形状の固定及び緩衝作用を起こす。
【０００３】
公知のシェルパッケージは一般に固定部と緩衝部の二つの部分を含み、固定部は包装する物品の外形に係合させて物品を固定する。緩衝部は一体成形して固定部上に突出させる。これにより、物品が運搬過程でぶつかったり揺れによる衝撃を受けた際に緩衝作用を起こし、物品の破損率を減少させる。
【０００４】
図１及び図２には公知のシェルパッケージ４の構造図を示す。該シェルパッケージ４は全体が矩形の固定シェル４１と、固定シェル４１上に一体成形した複数の緩衝柱体４２と緩衝突出体４３とを含み、その内、固定シェル４１は被せる際の便宜を図るために二つに分けて物品２を保護している。
【０００５】
一般に物品２を保護する作用を確実に達成するために、固定シェル４１には厚みを持たせなければならないため、コスト削減には不利である。また、緩衝柱体４２と緩衝突出体４３を固定シェル４１上に一体成形するが、それらと固定シェル４１が連接する箇所には外力の衝撃を受けた後に崩壊や裂罅現象が発生し易く、顧客がこれらを見た時に、中の物品２が破損を受けたのではないかと心配し返品する可能性もあり、これがパッケージシェル１の設計における大欠点である。
【考案の概要】
【考案が解決しようとする課題】
【０００６】
本考案の目的は、材料を節約し組み立ての便利なシェルパッケージの提供にある。
【課題を解決するための手段】
【０００７】
上述の目的を達成するために、本考案の提供するシェルパッケージは、固定シェルと複数の緩衝柱体を含む。固定シェルの各面上には何れも少なくとも一挿入孔を設け、緩衝柱体は柱状基体を備え、固定シェルの挿入孔に固定状態で挿設する。
【考案の効果】
【０００８】
本考案のシェルパッケージは、固定シェルと緩衝柱体を別々に独立設計することにより、固定シェルの厚さを薄くすることができ、さらに、製造コストと運搬コストを削減できる。しかも、緩衝柱体は保護する物品の重量、材質の違いに応じて個別に交換でき、固定シェルを一緒に交換する必要がなく、柔軟性に富む。また、緩衝柱体を固定シェル上に嵌合支持状態で挿設すると裂罅現象が起きず、組み立ても便利で簡単である。
【図面の簡単な説明】
【０００９】
【図１】公知のシェルパッケージで物品の外側を包覆した状態を示す図である。
【図２】図１の一角度における断面図である。
【図３】本考案のシェルパッケージで物品の外側を包覆した状態を示す図である。
【図４】図３の断面図である。
【図５】本考案のシェルパッケージで物品の外側を包覆した状態の別の角度の一部断面図である。
【考案を実施するための形態】
【００１０】
本考案の技術内容、構造特徴、達成する目的を詳細に説明するため、以下に実施例を挙げ並びに図面を組み合わせて説明する。
【００１１】
図３及び図４に示すとおり、本考案のパッケージシェル１は立方体形状を備える物品２の保護に用い、該パッケージシェル１は固定シェル１１と複数の緩衝柱体１２を含む。
【００１２】
前記固定シェル１１と物品２の外形を係合させ、固定シェル１１の各面上には何れも少なくとも一挿入孔（未図示）を設け、具体的には当該面のシェルの面積に応じて決定する。実際において固定シェル１１は前記物品２の稜角箇所を包覆する。
【００１３】
図５に示すとおり、好ましくは、前記固定シェル１１に中空挟層を備えた材料を採用することにより、原料を節約し固定シェル１１を更に軽くし、運搬に利便を図る。
【００１４】
続けて図５を参照とする。前記複数の緩衝柱体１２には柱状の基体を備え、前記固定シェル１１の挿入孔と緩衝柱体１２は係合し、緩衝柱体１２の底部は挿入孔内に挿設固定し、上部は挿入孔の外側に延伸する。
【００１５】
使用時は、各緩衝柱体１２を固定シェル１１の挿入孔内に固定して、物品２の外側を包覆する。
【００１６】
前述した通り、本考案と公知技術の相違は、固定シェル１１と緩衝柱体１２を別々に独立設計した点にある。外力作用は緩衝柱体１２によって吸収されるため、固定シェル１１の厚さを薄くすることができ、材料節約に利便を図り、さらに製造コストと運搬コストを削減できる。しかも、緩衝柱体１２は保護する物品２の重量、材質の違いにより個別に交換でき、固定シェル１１を一緒に交換する必要がなく、柔軟性に富む。また、緩衝柱体１２を固定シェル１１上に嵌合支持状態で挿設すると裂罅現象が出現せず、組み立ても便利で簡単である。
【符号の説明】
【００１７】
１            パッケージシェル
１１            固定シェル
１２            緩衝柱体
２            物品
４            シェルパッケージ
４１            固定シェル
４２            緩衝柱体
４３            緩衝突出体
【図１】
0003174178.tif 000003
【図２】
0003174178.tif 000004
【図３】
0003174178.tif 000005
【図４】
0003174178.tif 000006
【図５】
0003174178.tif 000007
(57)【要約】      （修正有）【課題】遺体や病人の移送時に、ストレチャーや運搬車などを荷台や床に固定するさい、簡単且つ確実に搬送物をその上に固定することの出来る棺台レールを提供する。【解決手段】車体の床上に上面に棺、担架等を収容する棺台レール本体１を設け、棺台レール本体１の上方に棺等の先端部を置き、棺台レール本体１の後端部から前端部の先端に移動式前部左右ストッパー２に案内されながら位置決めストッパー板３まで棺を水平移動する回転ローラー４とストレッチャー積載部を設ける。さらに、回転ローラー４の上部を、ストレッチャー、棺を位置決めストッパー板３まで移動させた状態で保持し、後方の後部ゲートストッパー６のＬ型レバー７を引っ張りゲート８を垂直又は収納に適した角度に調整し、係止爪で固定する構造にして、棺台レールを形成する。【選択図】図１
0003174127.tif 000002
【実用新案登録請求の範囲】
【請求項１】
車体の床上に上面に棺、担架等を収容する棺台レール本体１を設け、棺台レール本体１の上方に棺等の先端部を設け、棺台レール１の後端部から前端部の先端に移動式前部左右ストッパー２に案内されながら位置決めストッパー板３まで棺を水平移動する回転ローラー４とストレッチャー積載部５を設け、回転ローラー４の上部を、ストレッチャー、棺を位置決めストッパー板３まで移動させた状態で保持し、後方の後部ゲートストッパー６のＬ型レバー７を引っ張りゲート８を垂直又は収納に適した角度に調整し、係止爪９で固定する構造にした事を特徴とする棺台レール。
【請求項２】
棺等を棺台レール本体の先端部ストッパー板に固定する後部ゲートストッパーを設けた事を特徴とする請求項１記載の棺台レール。
【考案の詳細な説明】
【技術分野】
【０００１】  本考案は、患者を自宅とか病院等から他の専門病院又は、大病院に転院時の寝台車、又は、遺体を葬儀場等への遺体搬送用の霊柩寝台車の収容装置の構造に関する。
【背景技術】
【０００２】  一般には、人が自宅とか病院から他の専門病院又は大病院に転院する際のストレチャーや運搬車などを荷台や床に固定するか、又は、死亡して遺体を病院から自宅、或いは葬儀場へ送る場合、棺台を寝台車に収容したり、或いは折り畳み式の車輪部を備えた車付担架に収容して搬送することができる霊柩寝台車が用いられている。
【先行技術文献】
【特許文献】
【０００３】
【特許文献１】特開平８−８０７８０
【特許文献２】実開平６−５９２０
【考案の概要】
【考案が解決しようとする課題】
【０００４】  人が自宅とか病院から他の専門病院又は大病院に転院する際のストレチャーや運搬車などを荷台や床に固定するさい、簡単且つ確実に搬送物をその上に固定することの出来るように、又は、遺体を霊柩寝台車の収容装置に搭載する場合にも、遺体を損なうことなく、静粛に、且ついかなる重さ、大きさであっても、車体に当てたりすることなく、手早く搬入することが特に強く要望されているが、特に折り畳み式の車輪部を備えた車付担架（ストレッチャー型担架）を搬送する場合、搬入の困難さに加えて、霊柩寝台車の移動中の振動などによって動かないように固定するのがきわめて難しく、非常に不都合である。本考案は、これ等の課題を解決するのを目的とするものである。
【課題を解決するための手段】
【０００５】  上記課題を解決するために、本考案は、車体の床上に上面に棺、担架等を収容する棺台レール本体を設け、棺台レール本体の上方に棺等の先端部を置き、棺台レールの後端部から前端部の先端に移動式前部左右ストパーに案内されながら位置決めストッパー板まで棺を水平移動する回転ローラーとストレッチャー積載部を設け、回転ローラーの上部を、ストレッチャー、棺を位置決めストッパー板まで移動させた状態で保持し、後方の後部ゲートストッパーのＬ型レバーを引っ張りゲートを垂直又は収納に適した角度にし、係止爪で固定する構造にしたものである。
【考案の効果】
【０００６】  車体の床上に上面に棺、担架等を収容する棺台レール本体を設け、棺台レール本体の上方に棺等の先端部を置き、棺台レールの後端部から前端部の先端に移動式前部左右ストッパーに案内されながら位置決めストッパー板まで棺を水平移動する回転ローラーとストレッチャー積載部を設け、回転ローラーの上部を、ストレッチャー、棺を位置決めストッパー板まで移動させた状態で保持し、後方の後部ゲートストッパーのＬ型レバーを引っ張りゲートを垂直又は収納に適した角度にし、係止爪で固定する構造にした安価で操作が簡単な棺台レールを提供しようとするものである。
【図面の簡単な説明】
【０００７】
【図１】本考案の本体正面図
【図２】本発明のゲートを倒した本体正面図
【図３】本考案の本体平面図
【図４】本考案のＡ〜Ａ断面図
【図５】本考案のゲートロックストッパー部構成部
【考案を実施するための形態】
【０００８】  車体の床上に上面に棺、担架等を収容する棺台レール本体１を設け、棺台レール本体１の上方に棺等の先端部を置き、棺台レール１の後端部から前端部の先端に移動式前部左右ストッパー２に案内されながら位置決めストッパー板３まで棺を水平移動する回転ローラー４とストレッチャー積載部５を設け、回転ローラー４の上部を、ストレッチャー、棺を位置決めストッパー板３まで移動させた状態で保持し、後方の後部ゲートストッパー６のＬ型レバー７を引っ張りゲート８を垂直又は収納に適した角度にし、係止爪９で固定する構造にした操作が楽な棺台レール。
【産業上の利用可能性】
【０００９】  本考案は、安価に、容易に製造可能であれば寝台車のみではなく、他の企業、例えば流通関係でも簡単なコンベアーとしての使用方法も大いに期待できる。
【符号の説明】
【００１０】１  棺台レール本体２  移動式前部ストッパー３  位置決めストッパー板４  回転ローラー５  ストレッチャー積載部６  ゲートロックストパー７  Ｌ型レバー８  ゲート９  係止爪
【図１】
0003174127.tif 000003
【図２】
0003174127.tif 000004
【図３】
0003174127.tif 000005
【図４】
0003174127.tif 000006
【図５】
0003174127.tif 000007
(57)【要約】      （修正有）【課題】プランターと背景画が一体になった背景画付きプランターボックスを提供する。【解決手段】上方に開口し、蓋のない様々な形状の箱体１において、どこか適宜な側面の周壁の一部を特別に上方向に他の部分より長く延ばして背景画用パネル２とする。パネルには背景画が描かれており、そのパネルの形状は、箱体の形状により扁平面とは限らず湾曲面等でもよい。パネルの上部、中央に壁掛け穴４を設ける。【選択図】図１
0003174128.tif 000002
【実用新案登録請求の範囲】
【請求項１】
上方に開口し、蓋のない様々な形状の箱体において、どこか適宜な側面の周壁の一部を特別に上方向に他の部分より長く延ばして背景画用パネルとし、パネルには背景画が描かれており、そのパネルの形状は、箱体の形状により扁平面とは限らず湾曲面等でもよく、パネルの上部、中央に壁掛け穴を設けた背景画付きプランターボックス。
【考案の詳細な説明】
【技術分野】
【０００１】  本考案は、背景画と共に花を楽しむための背景画付きプランターボックスに関するものである。
【背景技術】
【０００２】  従来、様々な素材や形状、デザイン性のあるプランターボックスが使われている。プランターをインテリア用に利用出来るように、化粧パネルで作ったプランターカバーも知られている（特許文献１参照）。
花器を額縁状体に固定するものも知られている（特許文献２参照）。
【先行技術文献】
【０００３】
【特許文献１】  特許公開２００４−２６７３２４号公報
【特許文献２】  登録実用新案第３０３４９７７号公報
【考案の概要】
【考案が解決しようとする課題】
【０００４】  花を飾るためのプランターは沢山あるが、プランター自体が装飾性を持っていても必ずしも飾った花が引き立つようになっている訳ではない。また、飾った花をどこにどのように配置するかによっても見栄えが違い、なかなかプランターと花との美的、感性的一体性は難しいものである。上記参照文献１は、プランターを室内インテリアに適応させたいものであり、文献２は、生花を絵のように見せたいというものであり、あくまでも自然からの切り取り、切り離しがテーマとなっており、一旦、鉢植えのように自然から切り離されたものを再び自然の一部として置き直す形式とは正反対のものである。
本考案は、以上の問題点を解決するためになされたものである。
【課題を解決するための手段】
【０００５】    上方に開口し、蓋のない様々な形状の箱体において、どこか適宜な側面の周壁の一部を特別に上方向に他の部分より長く延ばして背景画用パネルとする。パネルには背景画が描かれており、そのパネルの形状は、箱体の形状により扁平面とは限らず湾曲面等でもよい。パネルの上部、中央に壁掛け穴を設ける。
以上の構成よりなる背景画付きプランターボックス。
【考案の効果】
【０００６】  従来プランターと花との一体性を得るために様々な工夫をしているが、本考案により、専門的な知識やセンスを必要としなくても、自然的美的感性に訴える装飾が可能である。本考案は、単に花をプランターに配置するだけでなく、飾られた花と背景画とがまるで自然の中に一体となって存在しているように見えることが大きな特徴である。
【図面の簡単な説明】
【０００７】
【図１】  本考案の使用状態を示す斜視図
【図２】  本考案の箱体と背景画パネルのアレンジ例を示す斜視図
【考案を実施するための形態】
【０００８】  以下、本考案の実施の形態を説明する。
（イ）花入れ用ボックス（１）の適宜な側面を上方向に延ばし、背景画用パネル（２）を設ける。
（ロ）背景画用パネル（２）に背景画（３）を書く。
（ハ）背景画用パネル（２）の上部、中央に壁掛け穴（４）を設ける。
本考案は以上のような構造である。
本考案を使用するときは、背景画用パネル（２）に書かれた背景画（３）に合うような草花を、花入れ用ボックス（１）に配置する。置いて観賞することも出来るが、壁掛け穴（４）を利用して壁に飾ることも出来る。また、背景画（３）は、季節ごとの風景など様々に工夫できる。
【符号の説明】
【０００９】  （１）花入れ用ボックス、（２）背景画用パネル、（３）背景画、（４）壁掛け穴
【図１】
0003174128.tif 000003
【図２】
0003174128.tif 000004
(57)【要約】【課題】デザイン性に富み、かつ導電性タッチパネルの操作が可能な手袋を提供する。【解決手段】指袋１、２を有する手袋であって、指袋１、２の指の腹に相当する部分に、導電性繊維の糸で刺繍１１、２１が施されている。手袋Ｇをはいたままの手で導電性タッチパネルを操作したとき、指先部分は電気を通すので、携帯電話等の導電性タッチパネルを作動させることができる。また、種々の生地で手袋Ｇを形成できるので、生地の選択の自由度が広く、デザイン性に富む。【選択図】図１
0003174052.tif 000002
【実用新案登録請求の範囲】
【請求項１】
指袋を有する手袋であって、
前記指袋の指の腹に相当する部分に、導電性繊維の糸で刺繍が施されている
ことを特徴とする手袋。
【請求項２】
親指袋と人差指袋を有する手袋であって、
前記親指袋と前記人差指袋のそれぞれの指の腹に相当する部分に、導電性繊維の糸で刺繍が施されている
ことを特徴とする手袋。
【考案の詳細な説明】
【技術分野】
【０００１】
本考案は、手袋に関する。さらに詳しくは、手袋をはいたままで静電式タッチパネルを操作できる手袋に関する。
【背景技術】
【０００２】
最近、静電容量式のタッチパネルを搭載した携帯電話やその他各種の電子機器が増えつつある。
静電式タッチパネルは、パネル表面に指が触れたときの電荷の変化を検出するため、指とパネルとの間に電気を通さない物質があると、うまく操作できない。したがって、非通電性素材で作られた手袋をはいたままでは携帯電話等のタッチパネルを操作することはできない。
もちろん、手袋を外せば携帯電話を操作できるが、寒い屋外では、できることなら手袋を外したくない。
【０００３】
上記事情に鑑み、本出願人は、指袋の先端部を導電性繊維の糸で編成した手袋を考案している（特許文献１）。
本手袋によれば、指袋の先端部は通電性を有しているので、手袋をはいたままの手で導電性タッチパネルを操作しても、指先部分は電気を通すので、携帯電話等の導電性タッチパネルを作動させることができる。
【０００４】
しかるに、上記従来の手袋は、導電性繊維の糸で指袋の先端部を編成するために、手袋を形成する生地の種類が限られ、手袋のデザインの幅が限られたものであった。
【先行技術文献】
【特許文献】
【０００５】
【特許文献１】実用新案登録第３１６０２１１号公報
【考案の概要】
【考案が解決しようとする課題】
【０００６】
本考案は上記事情に鑑み、デザイン性に富み、かつ導電性タッチパネルの操作が可能な手袋を提供することを目的とする。
【課題を解決するための手段】
【０００７】
第１考案の手袋は、指袋を有する手袋であって、前記指袋の指の腹に相当する部分に、導電性繊維の糸で刺繍が施されていることを特徴とする。
第２考案の手袋は、親指袋と人差指袋を有する手袋であって、前記親指袋と前記人差指袋のそれぞれの指の腹に相当する部分に、導電性繊維の糸で刺繍が施されていることを特徴とする。
【考案の効果】
【０００８】
第１考案によれば、指袋の指の腹に相当する部分に導電性繊維の糸で刺繍が施されているので、この部分は通電性を有している。したがって、手袋をはいたままの手で導電性タッチパネルを操作したとき、指先部分は電気を通すので、携帯電話等の導電性タッチパネルを作動させることができる。また、種々の生地で手袋を形成できるので、生地の選択の自由度が広く、デザイン性に富む。
第２考案によれば、導電性タッチパネルを操作する際によく用いられる親指と人差指で、導電性タッチパネルを操作できるので、とくに冬期に屋外で携帯電話やその他の電子機器を操作するのに便利である。
【図面の簡単な説明】
【０００９】
【図１】本考案の一実施形態に係る手袋の説明図である。
【考案を実施するための形態】
【００１０】
つぎに、本考案の実施形態を図面に基づき説明する。
図１において、Ｇは手袋であり、通常の手袋と同様に手の甲と手の平を覆う本体部につなげて親指袋１と人差指袋２を有している。中指袋と薬指袋と小指袋は、別々の指袋になったものも、一体の指袋になったものも、本考案に含まれる。
【００１１】
上記手袋Ｇにおける親指袋１と人差指袋２の指の腹に相当する部分には、導電性繊維の糸で刺繍１１、２１が施されている。
【００１２】
導電性繊維としては、特に制限なく広い範囲のものから選択でき、例えば、繊維の芯部にカーボンブラック、金属（例えば、銅や銀）、金属酸化物等の導電物質を含有する芯鞘型複合紡糸繊維や、繊維表面に金属（例えば、銅や銀）を蒸着したもの、さらに金属繊維や炭素繊維、イオン導電性ポリマーからなる繊維等の導電性材料からなるもの等の公知の導電性繊維を使用できる。
【００１３】
このように、親指袋１と人差指袋２の指の腹に相当する部分に導電性繊維の糸で刺繍１１、２１が施されているので、この部分は通電性を有している。したがって、手袋をはいたままの手で携帯電話やその他各種の電子機器の導電性タッチパネルを親指や人差指で、軽くタッチしたり、サッとなでるように接触すると、それだけで接触部位の電荷が変化するので、静電式タッチパネルを備えた携帯電話や各種電子機器などを操作することができる。
【００１４】
また、刺繍１１、２１を施すことにより、手袋Ｇのデザイン性を向上させることができる。
なお、本実施形態における刺繍１１、２１は、６枚の花弁の形であるが、これに代えて、星形やハート形など種々の形の刺繍を施してもよい。
【００１５】
本考案の手袋Ｇは、伸縮性のある繊維の糸を編機で編んだニット等の伸縮の効く編物地の他、綿、ナイロン、皮等、種々の生地で形成することができる。そのため、生地の選択の自由度が広く、デザイン性に富む。
【００１６】
つぎに、本考案の他の実施形態を説明する。
図１の実施形態では、親指袋１と人差指袋２の指の腹に相当する部分に刺繍１１，２１を施したが、これを親指袋１と人差指袋２のいずれか一方の指の腹に相当する部分に刺繍を施すようにしてもよい。
また、親指袋１と人差指袋２以外にも、中指袋、薬指袋、小指袋の指の腹に相当する部分に導電性繊維の糸で刺繍を施してもよい。
ただし、導電性タッチパネルを操作する際によく用いられるのは親指と人差指であるので、図１の実施形態でも、冬期に屋外で携帯電話やその他の電子機器を操作するのに便利である。
【００１７】
上記各実施形態において、各指袋の指の腹に相当する部分に施す刺繍は、導電性繊維の糸のみを使って施してもよく、導電性繊維の糸と非導電性繊維の糸を混合して施してもよい。
【００１８】
また、指袋の指の腹に相当する部分以外の部分にも導電性繊維の糸で刺繍を施してもよい。もちろん、非導電性繊維の糸で刺繍を施してもよい。
【符号の説明】
【００１９】
１    親指袋
２    人差指袋
１１    刺繍
２１    刺繍
【図１】
0003174052.tif 000003
(57)【要約】      （修正有）【課題】歯間ブラシの金属ワイヤを柔軟層で被覆し、又は覆うことにより、歯及び歯肉を傷付けず、口腔を按摩する効果を有する歯間ブラシを提供する。【解決手段】該歯間ブラシは、捻られた少なくとも二本の金属ワイヤ１１１によって刷毛１１２を固定して形成されるブラシヘッド部１１と、ブラシヘッドと連接してユーザが握り可能な握り部１２とよりなる。上記の金属ワイヤの表面には、軟質層、又は弾性層が設けられ、軟質層又は弾性層は、被覆方式、又は覆い方式によって金属ワイヤの表面に設けられ、軟質層又は弾性層の材質は、ゴム、又はシリコーンを採用する。【選択図】図１
0003174070.tif 000002
【実用新案登録請求の範囲】
【請求項１】
捻られた少なくとも二本の金属ワイヤによって刷毛を固定して形成されるブラシヘッド部と、前記ブラシヘッドと連接してユーザが握り可能な握り部と、を含む歯間ブラシにおいて、
前記金属ワイヤの表面には、軟質層、又は弾性層が設けられることを特徴とする歯間ブラシ。
【請求項２】
前記軟質層又は前記弾性層は、被覆方式、又は覆い方式によって前記金属ワイヤの表面に設けられることを特徴とする、請求項１に記載の歯間ブラシ。
【請求項３】
前記軟質層又は前記弾性層の材質は、ゴム、又はシリコーンを採用することを特徴とする、請求項１に記載の歯間ブラシ。
【考案の詳細な説明】
【技術分野】
【０００１】
本考案は、歯間ブラシに関し、特に、歯間ブラシの金属ワイヤが柔軟層に被覆され、又は覆われていることにより、金属ワイヤが、歯及び歯肉を傷付けず、口腔を按摩する効果を有する歯間ブラシに関するものである。
【背景技術】
【０００２】
歯を清潔する用品は、例えば歯ブラシ、フロス、糸ようじ、又は歯間ブラシがよく見られる。歯間ブラシは、捻られた複数本の細いステンレスワイヤにより、ナイロン製の刷毛が前記ステンレスワイヤを中心として外側に放射するように固定される。口腔を清潔したいときには、歯同士の隙間に歯間ブラシを挿し込んで、ナイロン製の刷毛によって、歯同士の隙間にある残りかすを取り出す。しかし、歯同士の隙間は、極めて小さく、一本だけのフロスの通過を許容する程度であり、捻られた複数本の細いステンレスワイヤを有する歯間ブラシは、歯同士の隙間に挿し込んで往復に移動することにより、刷毛が残りかすを取り出すことができるが、前記ステンレスワイヤが歯及び歯肉と摩擦して、歯及び歯肉の痛みを招く。従来の歯間ブラシによれば、歯、歯のエナメル質及び歯肉が傷付く虞がある。
【考案の概要】
【考案が解決しようとする課題】
【０００３】
本考案の主な目的は、歯間ブラシの金属ワイヤが柔軟層に被覆され、又は覆われていることにより、金属ワイヤは、歯及び歯肉を傷付けず、口腔を按摩する効果を有する歯間ブラシを提供することにある。
【課題を解決するための手段】
【０００４】
本考案の歯間ブラシによると、捻られた少なくとも二本の金属ワイヤによって刷毛を固定して形成されるブラシヘッド部と、ブラシヘッドと連接してユーザが握り可能な握り部と、を含む歯間ブラシにおいて、
金属ワイヤの表面には、軟質層、又は弾性層が設けられることを特徴とする。
【０００５】
本考案の歯間ブラシによると、軟質層又は弾性層は、被覆方式、又は覆い方式によって金属ワイヤの表面に設けられることを特徴とする。
【０００６】
本考案の歯間ブラシによると、軟質層又は弾性層の材質は、ゴム、又はシリコーンを採用することを特徴とする。
【考案の効果】
【０００７】
本考案の歯間ブラシによれば、次のような効果がある。
（１）歯間ブラシの金属ワイヤが柔軟層に被覆され、又は覆われていることにより、金属ワイヤは、歯及び歯肉を傷付けず、そして歯及び歯肉と接触しているときにユーザが痛みを感じない。
【０００８】
（２）歯間ブラシの金属ワイヤが柔軟層に被覆され、又は覆われていることにより、金属ワイヤが歯及び歯肉と接触しているときには、ユーザの口腔を按摩できる。
【図面の簡単な説明】
【０００９】
【図１】本考案の一実施例の組合済み状態を示す斜視図である。
【図２】本考案の金属ワイヤを示す拡大斜視図（一）である。
【図３】本考案の金属ワイヤを示す拡大斜視図（二）である。
【図４】本考案の一実施例を示す横断面図である。
【考案を実施するための形態】
【００１０】
以下、本考案の実施の形態を図面に基づいて説明する。
【実施例】
【００１１】
まず、図１乃至図４を参照する。図１は本考案の一実施例の組合済み状態を示す斜視図であり、図２は本考案の金属ワイヤを示す拡大斜視図（一）であり、図３は本考案の金属ワイヤを示す拡大斜視図（二）であり、図４は本考案の一実施例を示す横断面図である。本考案の一実施例の歯間ブラシ１は、捻られた複数本の金属ワイヤ１１１によって刷毛１１２を固定して形成されるブラシヘッド部１１と、ブラシヘッド１１と連接してユーザが握り可能な握り部１２と、を含む。
【００１２】
図２に示すように、金属ワイヤ１１１の表面には、軟質層１１３が設けられる。軟質層１１３の材質は、ゴム、又はシリコーンを採用する。
【００１３】
金属ワイヤ１１１の表面に、被覆方式、又は覆い方式によって軟質層１１３を設ける他、図３に示すように、被覆方式、又は覆い方式によって、歯を保護可能な弾性層１１４を設けてもよい。このように、歯同士の隙間に歯間ブラシ１を挿し込んで往復に移動しているときには、刷毛が残りかすを取り出すことができ、そして金属ワイヤ１１１は、歯及び歯肉を傷付けず、口腔を按摩できるという効果がある。
【００１４】
次に、図１乃至図４を参照しながら本考案の一実施例の作製方法を説明する。まず、少なくとも二本の金属ワイヤ１１１の表面に、被覆方式、又は覆い方式によって、ゴム又はシリコーンで作製された、軟質層１１３又は弾性層１１４を設けて、少なくとも二本の金属ワイヤ１１１を捩れることにより、刷毛が少なくとも二本の金属ワイヤ１１１を中心として外側に放射するように固定される。そうすると、ブラシヘッド部１１が形成される。ブラシヘッド部１１には、ユーザが握り可能な握り部１２が連接される。
歯同士の隙間に歯間ブラシ１を挿し込んで往復に移動しているときには、刷毛が残りかすを取り出すことができ、このとき、軟質層１１３又は弾性層１１４が歯及び歯肉と接触するが、軟質層１１３又は弾性層１１４は、その材質が柔軟であるため、歯及び歯肉を傷付けず、口腔を按摩する効果を有する。
【産業上の利用可能性】
【００１５】
本考案は、歯間ブラシに適用することができる。
【符号の説明】
【００１６】
１：歯間ブラシ
１１：ブラシヘッド部
１２：握り部
１１１：金属ワイヤ
１１２：刷毛
１１３：軟質層
１１４：弾性層
【図１】
0003174070.tif 000003
【図２】
0003174070.tif 000004
【図３】
0003174070.tif 000005
【図４】
0003174070.tif 000006